(57)【要約】【課題】複数のカラー画像を同時に、ないし次々と、不自然さなしで表示することができる移動通信端末装置を実現する。【解決手段】パレット方式の画像処理方式を用い、自然色で表された画像を入力として、それに適応した色を用いたパレット方式の画像と共に、限られた色数を用いたパレット方式の画像を作成する手段７ｂが設けられ、同時に表示される複数の画像の一部には限られた色数を用いた画像を用い、画像を次々に表示する際には限られた色数を用いた画像を過渡的に表示する手段７ｃが設けられている。【選択図】　図１
2004086086.tif 000002
【特許請求の範囲】
【請求項１】
パレット方式の画像処理を行う移動通信端末装置であって、
同時に表示可能な最大色数より少ない色数の色を格納した固定色パレットと、
前記固定色パレットで色を表された固定色画像と、
自然色で表された画像と前記固定色パレットを入力として、前記固定色パレットを含み前記画像に適応した適応色パレット及び前記適応色パレットで色を表された前記画像を作成する手段と、
前記適応色パレットで色を表された前記画像と、前記固定色画像とを前記適応色パレットを用いて同時に表示する手段とを
備えたことを特徴とする移動通信端末装置。
【請求項２】
パレット方式の画像処理を行う移動通信端末装置であって、
同時に表示可能な最大色数より少ない色数の色を格納した固定色パレットと、
前記固定色パレットで色を表された固定色画像と、
自然色で表された画像と前記固定色パレットを入力として、前記固定色パレットを含み前記画像に適応した適応色パレット及び前記適応色パレットで色を表された前記画像を作成する作成手段とを備え、
前記作成手段の第１の動作で作成された適応色パレット１で色を表された画像１の表示から、前記作成手段の第２の動作で作成された適応色パレット２で色を表された画像２の表示へ変更を行う際、
第１に、表示手段に表示される画像を前記画像１から前記固定色画像に切り換えて表示し、
第２に、前記表示手段への表示に用いられるパレットを前記適応色パレット１から前記適応色パレット２に切り換えて表示し、
第３に、前記表示手段に表示される画像を前記固定色画像から前記画像２に切り換えて表示する
ことを特徴とする移動通信端末装置。
【請求項３】
前記作成手段は、更に前記固定色パレットで色を表された前記画像１を作成し、
前記固定色画像に代えて、前記画像１を用いることを特徴とする請求項２記載の移動通信端末装置。
【請求項４】
前記作成手段は、更に前記固定色パレットで色を表された前記画像２を作成し、
前記固定色画像に代えて、前記画像２を用いることを特徴とする請求項２記載の移動通信端末装置。
【請求項５】
前記固定色パレットはメニュー画像を入力として作成されたものであることを特徴とする請求項１ないし請求項４いずれか１項記載の移動通信端末装置。
【請求項６】
パレット方式の画像処理方法であって、
自然色で表された画像から同時に表示可能な最大色数より少ない色数の色を格納した固定色パレットを作成し、
自然色で表された画像と前記固定色パレットから前記固定色パレットを含んだ適応色パレットを作成し、
前記適応色パレットで色を表された画像と、前記固定色パレットで色を表された画像とを前記適応色パレットを用いて同時に表示する
ことを特徴とする画像処理方法。
【請求項７】
パレット方式の画像処理方法であって、
同時に表示可能な最大色数より少ない色数の色を格納した固定色パレットと、
前記固定色パレットで色を表された固定色画像と、
自然色で表された画像と前記固定色パレットを入力として、前記固定色パレットを含み前記画像に適応した適応色パレット及び前記適応色パレットで色を表された前記画像を作成する作成手段とを備え、
前記作成手段の第１の動作で作成された適応色パレット１で色を表された画像１の表示から、前記作成手段の第２の動作で作成された適応色パレット２で色を表された画像２の表示へ変更を行う際、
第１に、表示手段に表示される画像を前記画像１から前記固定色画像に切り換えて表示し、
第２に、前記表示手段への表示に用いられるパレットを前記適応色パレット１から前記適応色パレット２に切り換えて表示し、
第３に、前記表示手段に表示される画像を前記固定色画像から前記画像２に切り換えて表示する
ことを特徴とする画像処理方法。
【発明の詳細な説明】
【０００１】
【発明の属する技術分野】
本発明は、パレット方式を用いた画像処理に係り、特に、複数の画像を同時にないし、次々に表示する移動通信端末装置及び画像処理方法に関する。
【０００２】
【従来の技術】
カラー画像の処理にあたって、パレット方式が用いられている。これは、画像の画素の色を色番号で表し、その色番号の表す色は、その画像と対応するパレットで表される方式である。即ち、パレットに、色番号と色番号の表す実際の色、例えばＲ、Ｇ、Ｂ３原色の強さの対応を格納する方式である。少ないリソースで高品質のカラー画像を扱うことができる方式であり、移動通信端末装置などで用いられている。
【０００３】
カラー画像をパレット方式で扱うために、カラー画像を入力として、その画像に適応した色が含まれ、かつ、指定された色数のパレットを作成する処理が行われている。また、色番号で色を表された画像とそれに対応するパレットから、表示色を求めてカラー画像を表示する処理が行われている。
【０００４】
【発明が解決しようとする課題】
種々の画像表示の形態で、１枚の画像のみならず、複数の画像を同時に、ないし次々と表示することが行われている。しかしながら、上述した従来のパレット方式では、それに問題が生じていた。
【０００５】
第１に、対応するパレットが異なる複数の画像を同時に表示する際、１つのパレットで全画像の実際の色を表示することはできなかった。なぜなら、異なるパレットでは同じ色番号でも実際の色が同じである可能性は殆どなく、１つのパレットで全画像を表示した場合には、そのパレットに対応していない画像の表示色が乱れることがある。
【０００６】
第２に、対応するパレットが異なる複数の画像を次々と表示する際、新しい画像とそれに対応するパレットを、同時に切り換えることができず、一時的には、新しい画像を現在表示している画像に対応するパレットで表示することになり、同様に、画像の表示色が乱れることがある。
【０００７】
そのため、対応するパレットが異なる複数の画像を同時に表示する際には、例えば特開２０００−２３５３８１号公報に開示されている様に、複数のパレットを画像領域に応じて使い分けるなど、また、対応するパレットが異なる複数の画像を次々と表示する際には、一時的な色の乱れを容認するなど、複雑な装置や不自然さの容認が避けられないなどの問題点があった。
【０００８】
本発明は、上記問題点を解決するためになされたもので、複数の画像を同時に、ないし次々と、不自然さなしで表示することができるパレット方式を用いた移動通信端末装置及び画像処理方法を提供することを目的とする。
【０００９】
【課題を解決するための手段】
上記目的を達成するために、本発明の移動通信端末装置は、パレット方式の画像処理を行う移動通信端末装置であって、同時に表示可能な最大色数より少ない色数の色を格納した固定色パレットと、前記固定色パレットで色を表された固定色画像と、自然色で表された画像と前記固定色パレットを入力として、前記固定色パレットを含み前記画像に適応した適応色パレット及び前記適応色パレットで色を表された前記画像を作成する手段と、前記適応色パレットで色を表された前記画像と、前記固定色画像とを前記適応色パレットを用いて同時に表示する手段とを備えたことを特徴とする。
【００１０】
また、本発明の移動通信端末装置は、パレット方式の画像処理を行う移動通信端末装置であって、同時に表示可能な最大色数より少ない色数の色を格納した固定色パレットと、前記固定色パレットで色を表された固定色画像と、自然色で表された画像と前記固定色パレットを入力として、前記固定色パレットを含み前記画像に適応した適応色パレット及び前記適応色パレットで色を表された前記画像を作成する作成手段とを備え、前記作成手段の第１の動作で作成された適応色パレット１で色を表された画像１の表示から、前記作成手段の第２の動作で作成された適応色パレット２で色を表された画像２の表示へ変更を行う際、第１に、表示手段に表示される画像を前記画像１から前記固定色画像に切り換えて表示し、第２に、前記表示手段への表示に用いられるパレットを前記適応色パレット１から前記適応色パレット２に切り換えて表示し、第３に、前記表示手段に表示される画像を前記固定色画像から前記画像２に切り換えて表示することを特徴とする。
【００１１】
本発明によれば、限られた色数の固定色パレットで色が表された画像を用いることにより、複数の画像を同時に、ないし次々と、不自然さなしで表示することができる。
【００１２】
【発明の実施の形態】
（第１の実施の形態）
以下に、本発明による移動通信端末装置の第１の実施の形態を、図面を参照して説明する。図１は、本発明の実施形態に係わる移動通信端末装置を示すブロック図である。この移動通信端末装置は、装置全体の制御を行う制御装置１、通信部２、受信部３、送信部４、利用者からの指示を入力する入力装置５、各種形式の画像が格納される画像データベース６、画像処理部７より構成される。
【００１３】
通信部２は、電波の送受信を行うアンテナ２ａと、このアンテナ２ａから受信した高周波信号を受信部３へ出力し、送信部４からの高周波信号をアンテナ２に出力する共用器２ｂより構成される。受信部３は、共用器２ｂからの高周波信号の増幅及び周波数変換を行う無線受信装置３ａと、この無線受信装置３ａからの信号を復調して音声信号を得る復調装置３ｂと、この復調装置３ｂからの音声信号を音声に変換するスピーカ３ｃより構成される。
【００１４】
送信部４は、音声を音声信号に変換するマイク４ａと、このマイク４ａからの音声信号を変調する変調装置４ｂと、この変調装置４ｂからの信号の周波数変換及び増幅を行う無線送信装置４ｃより構成される。
【００１５】
画像処理部７は、画像の入力を行う画像入力装置７ａと、画像の変換及び管理を行う画像管理装置７ｂと、画像の表示を行う画像出力装置７ｃにより構成される。図２は、画像入力装置７ａの詳細な構造を示すブロック図である。画像入力装置７ａは、撮影を行うカメラ１２と、このカメラ１２を制御し、カメラ１２からの信号を自然色画像の形式に変換する画像入力制御部１１より構成される。画像入力制御部１１によって作成された入力画像１３は、画像データベース６に格納される。
【００１６】
図３は、画像管理装置７ｂの詳細な構成を示すブロック図である。画像管理装置７ｂは、固定色作成部２１、適応色作成部２２、表示画像作成部２５、画像重ね合わせ部２６により構成される。固定色作成部２１及び適応色作成部２２は、画像データベース６に格納される入力画像１３を入力とし、それをパレット方式の形式、即ち、素材画像２３及び素材用パレット２４を作成する。両者の相違は、固定色作成部２１は固定色の決定、それのパレットの作成をも行うが、適応色作成部２２は、固定色パレットの作成は行わない。作成された素材画像２３及び素材用パレット２４は、画像データベース６に格納される。
【００１７】
表示画像作成部２５は、素材画像２３及び素材用パレット２４を入力とし、パレット方式を用いて実際に表示される画像、即ち、出力画像２７及び出力用パレット２８を作成する。画像重ね合わせ部２６は、表示画像作成部２５の指示で起動され、複数の素材画像２３の表示のための重ね合わせを行う。作成された出力画像２７及び出力用パレット２８は、画像データベース６に格納される。
【００１８】
図４は、画像出力装置７ｃの詳細な構成を示すブロック図である。画像出力装置７ｃは、画像出力制御部３１及びＬＣＤ３２により構成される。画像出力制御部３１は、画像管理装置７ｂにより作成され、画像データベース６に格納された出力画像２７、出力用パレット２８を入力とし、これらによりＬＣＤ３２に表示される画像を作成し、ＬＣＤ３２に表示させる。ＬＣＤ３２の表示の最小単位である画素の位置は、Ｘ座標とＹ座標で表し、図５に示す通り、左上を原点とし、右にＸ座標、下にＹ座標を取る。
【００１９】
上記のように構成された移動通信端末装置の動作の説明を行う。入力装置５は、テンキー及びファンクションキーからなるキーボードであり、制御装置１の起動により動作を開始する。利用者の操作したキーの識別子を制御装置１へ通知して動作を終了する。
【００２０】
次に、画像データベース６に格納される画像の形式を図６に示す。画像データベース６には、画像が以下に示す３種類の形式で格納される。
【００２１】
第１に、図６（ａ）に示す自然色画像形式３５であり、入力画像１３はこの形式で格納される。これは自然色で表された画像の格納のための形式であり、画像の最小単位である画素の位置をＸ座標とＹ座標で表し、それぞれの画素の色をＲ、Ｇ、Ｂの３原色の強さで表したものである。ここで、Ｘ座標、Ｙ座標は図７に示す通り、左上を原点とし、右にＸ座標、下にＹ座標を取る。これは、図５に示すＬＣＤ３２の画素の位置の表し方と同一である。
【００２２】
また、３原色の強さは例えば０〜２５５の２５６段階を取り、０ではその原色はなく、２５５では最強である。色の種類としては、２５６×２５６×２５６種類を用いることができる。この形式においては、画素あたり３つの整数値で色を表す。図６（ａ）で表した自然色画像形式３５の画像は、画像名で識別される。
【００２３】
第２に、図６（ｂ）に示すパレット方式画像形式３６であり、素材画像２３及び出力画像２７はこの形式で格納される。これは色番号で表された画像の格納のための形式であり、画像の最小単位である画素をＸ座標とＹ座標で表し、それぞれの画素の色を色番号で表したものである。ここで、Ｘ座標、Ｙ座標は図７に示す通り、左上を原点とし、右にＸ座標、下にＹ座標を取る。
【００２４】
また、色番号は例えば０〜２５５の２５６の値のいずれかを取る。この形式においては、画素あたり１つの整数値で色を表すので、自然色で表された画像に比較して約３分の１の記憶容量で格納される。一方、色の種類として２５６個のみを使うので、自然色で表された画像とは色が異なる可能性がある。しかし、画像に適応した２５６種類の色を選ぶことによって、その差を少なくする。図６（ｂ）で表したパレット方式画像形式３６の画像は、画像名で識別される。また、その画像での色番号と色の対応はパレットに記憶されており、対応するパレット名が画像名と併せて記憶される。
【００２５】
第３に、図６（ｃ）に示すパレット形式３７であり、素材用パレット２４及び出力用パレット２８はこの形式で格納される。これはパレットの格納のための形式である。即ち、色番号と色の対応を取るデータであり、色番号に対応する色をＲ、Ｇ、Ｂの３原色の強さで表したものである。ここで、３原色の強さは例えば０〜２５５の２５６段階を取り、０ではその原色はなく、２５５では最強である。図６（ｃ）で表したパレット形式３７のパレットはパレット名で識別される。
【００２６】
次に、画像処理部７の動作の説明に先だって、説明に用いる画像表示形態の一例について説明する。図８に、ＬＣＤ３２に表示される画像を示す。図８（ａ）は、メニュー１が画面４１に表示された状況を示す。即ち、メニュー１が中段領域４３に表示され（メニュー１の画像の詳細は図示せず）、電波の強度を線の本数で表す電波強度マーク４２ａが上段領域４２に表示されている。
【００２７】
図８（ｂ）は、入力装置５より入力された利用者の指示に従って、メニュー１に換えて、メニュー２が画面４１に表示された状況を示す。即ち、メニュー２が中段領域４３に表示され（メニュー２の画像の詳細は図示せず）、電波強度マーク４２ｂが上段領域４２に表示されている。
【００２８】
この説明で用いる画像は、メニュー１、メニュー２、電波強度マーク４２ａ、４２ｂの４種類である。以後、メニュー１及びメニュー２をメニュー、電波強度マーク４２ａ及び４２ｂをマークと称する。ここで、マークは比較的少数の色で構成される。
【００２９】
また、マークはメニュー１と同時に表示される場合にも、メニュー２と同時に表示される場合にも、同じ色で表示されなければならない。また、その切り換えの際に、マークの色が乱れるなどの不自然さがあってはならない。更に、メニューの表示中に、マークのみが電波強度マーク４２ａから電波強度マーク４２ｂに切り換えられても、色が変わるなどの不自然さがあってはならない。更に、メニュー１の表示からメニュー２への表示の切り換えの際に、メニューの色が乱れるなどの不自然さがあってはならない。
【００３０】
図９は、図８に示した表示を得るために必要な画像の一覧である。入力画像１３から素材画像２３、素材用パレット２４の作成、それから図８に示した表示の作成の２段階に分けて、画像の処理の流れを矢印で示す。
【００３１】
続いて、画像処理部７の動作を説明する。まず、画像入力装置７ａの動作の説明をする。画像入力装置７ａは、画像入力制御部１１が制御装置１より起動されることにより動作を開始する。画像入力制御部１１は、カメラ１２より撮影された画像の電気信号を受け取り、それを自然色画像形式３５の形式に整え、入力画像１３に格納し、動作を終了する。上記の例では、メニュー及びマークは画像入力装置７ａからの画像が含まれることになり、画像入力装置７ａはメニュー及びマーク、合計４種類の画像を入力画像１３として画像データベース６に格納する。
【００３２】
また、この画像入力装置７ａは、カメラ１２より画像の電気信号を受け取るのではなく、受信部３よりデータ通信機能を用いて受信されたデータを受け取ることによって、画像入力処理を行うものであってもよい。
【００３３】
次に、画像管理装置７ｂの動作について説明する。第１に、固定色作成部２１の動作について説明する。固定色作成部２１の動作の目的は、入力画像１３を入力とし、それに対応する素材画像２３及び素材用パレット２４を作成することであり、素材画像２３として、適応色画像と固定色画像、素材用パレット２４として適応色パレットと固定色パレットがある。
【００３４】
適応色とは、入力画像１３を最も適切に表すための色で、その色で入力画像１３を表した画像が適応色画像、それに対応するパレットが適応色パレットである。固定色とは、多くの画像で共通に使われる、少数の色であり、その他は適応色の場合と同様である。
【００３５】
最も代表的な色使いの画像に対して、固定色作成部２１が処理を行う。その画像から色を選択することにより、固定色、即ち、多くの画像で共通に使われる少数の色が得られるからである。メニューは、表示頻度が高く、かつ、分かり易く、見やすい画像が選ばれるので、この目的に適している。上記の例では、メニュー及びマーク、合計４種類の画像のうち、メニュー１の画像についてこの処理を行うとする。
【００３６】
図１０は、固定色作成部２１の動作のフローチャートを示す。図１０において、固定色作成部２１は制御装置１よりの指示により開始される（ステップ５１ａ）。その際、自然色画像形式３５の入力画像１３、固定色の色数、適応色の色数が引数として与えられる。
【００３７】
固定色は、多くの画像で共通に使われる少数の色であるが、適応色は、与えられた画像をパレット方式で最も適切に表示するための色であり、画像出力装置７ｃの許す限りの数を用いる。そこで、これらの色数は、０＜固定色の色数≦適応色の色数≦２５６なる制約を満たすものである。
【００３８】
与えられた画像で使われる可能性のある、２５６×２５６×２５６種類の色の中で、どの色が何画素で使われているかを調べ、多く使われている色を固定色として選ぶ。そのため、まず、２５６×２５６×２５６種類の色全てについて、色の出現回数を０にクリアする（ステップ５１ｂ）。
【００３９】
次に、与えられた入力画像１３の全画素について、使われている色の出現回数を数えるべく、全ての画素についての処理が終了したかを調べる（ステップ５１ｃ）。まだ終了していなければ、未処理画素の中から次の画素を取りだし、色を得る（ステップ５１ｄ）。ここで、次の画素とは、自然色画像形式３５で格納されている順で行う。色が得られたなら当該色の出現回数に１を加える（ステップ５１ｅ）。
【００４０】
全ての画素についての処理が終了したかを調べ（ステップ５１ｃ）、終了していれば、どの色が多く使われたかを調べるべく、出現回数の多い順に色をソートする（ステップ５１ｆ）。出現回数の多い順に、固定色の色数だけの色をパレット形式３７に整え、固定色パレットとする。ここで、色番号は任意でよく、出現回数の多い順に１、２、３、以下同様に、自然数を用いる（ステップ５１ｇ）。
【００４１】
固定色パレットに格納された色が固定色である。
【００４２】
同様に、出現回数の多い順に、適応色の色数だけの色をパレット形式３７に整え、適応色パレットとする。ここで、色番号は任意でよく、出現回数の多い順に１、２、３、以下同様に、自然数を用いる（ステップ５１ｈ）。適応色パレットに格納された色が適応色である。ここで注意すべきことは、適応色パレットは固定色パレットを含んでいること、固定色の色番号は、固定色パレットにおいても適応色パレットにおいても同じであることである。
【００４３】
上記の動作では、パレットに入れる色の選択は出現回数の多い順としたが、これに限るものではない。
【００４４】
引き続き、与えられた入力画像１３を、パレット方式画像形式３６に変換した画像を２種作成する。即ち、ステップ５１ｇで作成された固定色パレットに対応する素材画像２３（これを固定色画像と称する）、及びステップ５１ｈで作成された適応色パレットに対応する素材画像２３（これを適応色画像と称する）である。そのために、与えられた入力画像１３の全ての画素についての処理が終了したかを調べ（ステップ５１ｉ）、終了していないなら、次の画素を取りだし、色を得る（ステップ５１ｊ）。
【００４５】
その色が、ステップ５１ｇで作成された固定色パレットに存在すれば、その色に対応する色番号を得る。もし、存在しない場合には、その色に最も近い色を固定色パレットより選んで色番号を得る（ステップ５１ｋ）。色の近さの判定は、例えばユークリッド距離によって判断する。即ち、色をＲ、Ｇ、Ｂの強さよりなる３次元空間の点と考えて、２点の間のユークリッド距離の小ささを以って２つの色の近さとする。
【００４６】
その色について、ステップ５１ｈで作成された適応色パレットに対しても、全く同じ処理を行う（ステップ５１ｍ）。
【００４７】
与えられた入力画像１３の全ての画素についての処理が終了したかを調べ（ステップ５１ｉ）、終了しているなら、全ての画素について、その色に最も近い固定色中の色の色番号と、その色に最も近い適応色中の色の色番号が得られているので、それぞれを、パレット方式画像形式３６として画像データベース６に格納する（ステップ５１ｎ）。
【００４８】
以上の動作で、引数として与えられた自然色画像形式３５の入力画像１３に対する、パレット方式画像形式３６の画像が２種、即ち固定色画像と適応色画像、及びパレットが２種、固定色パレットと適応色パレットが得られ、それらを素材画像２３と素材用パレット２４に格納し、固定色作成部２１の動作は終了する（ステップ５１ｐ）。以上の処理により、図９のメニュー１についての素材画像２３及び素材用パレット２４が作成された。
【００４９】
次に、適応色作成部２２の動作について説明する。適応色作成部２２も、固定色作成部２１と同様に入力画像１３を入力とし、それに対応する素材画像２３及び素材用パレット２４を作成する。しかし、適応色作成部２２は、固定色の決定、そのパレットの作成を行わず、固定色パレットは固定色作成部２１の作成したものを用いる。
【００５０】
上記の例では、４種の画像のうち、メニュー１の画像を除いた３種の画像に対して、適応色作成部２２が処理を行う。図１１は、適応色作成部２２の動作のフローチャートを示す。
【００５１】
図１１において、適応色作成部２２は、制御装置１よりの指示により開始される（ステップ５２ａ）。その際、入力画像１３、固定色パレット、適応色の色数が引数として与えられる。適応色の色数は、同様に０＜固定色の色数≦適応色の色数≦２５６なる制約を満たすものである。
【００５２】
適応色は、与えられた入力画像１３で使われる可能性のある、２５６×２５６×２５６種類の色の中で、どの色が何画素で使われているかを調べ、多く使われている色を適応色として選ぶ。ただし、既に固定色に含まれている色は、二重に適応色として選ぶ必要がないので無視する。そのため、まず、２５６×２５６×２５６種類の色全てについて、色の出現回数を０にクリアする（ステップ５２ｂ）。
【００５３】
次に、与えられた入力画像１３の全画素について、使われている色の出現回数を数える（ステップ５２ｃ〜５２ｆ）が、既に説明した固定色作成部２１のその動作ステップ５１ｃ〜５１ｅと同様に動作する。ただし、得られた色が固定色に含まれているかを調べ（ステップ５２ｅ）、含まれる場合にはその色を無視する。
【００５４】
ステップ５２ｃで全ての画素について処理が終了しているなら、どの色が多く使われたかを調べるべく、出現回数の多い順に色をソートする（ステップ５２ｇ）。出現回数の多い順に「適応色の色数」−「固定色の色数」だけの色を選び、それと固定色パレットの色をパレット形式３７に整え、適応色パレットとする。
適応色パレットに格納された色が適応色である。
【００５５】
ここで、固定色に含まれる色の色番号は、固定色パレットでの色番号と同一とする。その他の色の色番号は、固定色の色番号と重複しない限り任意でよく、出現回数の多い順に「固定色の色数」＋１、「固定色の色数」＋２、「固定色の色数」＋３、以下同様とする（ステップ５２ｈ）。
【００５６】
上記の動作では、パレットに入れる色の選択は出現回数の多い順としたが、これに限るものではない。
【００５７】
引き続き、固定色作成部２１と同様に、与えられた入力画像１３を変換し、与えられた固定色パレットに対応する固定色画像、及び、ステップ５２ｈで作成した適応色パレットに対応する適応色画像を作成する。その動作（ステップ５２ｉ〜５２ｎ）は、既に説明したステップ５１ｉ〜５１ｎと同様なので、省略する。
【００５８】
以上の動作で、引数として与えられた入力画像１３に対する、パレット方式画像形式３６の画像が２種（固定色画像と適応色画像）及び適応色パレットが得られたので、それぞれを画像データベース６の素材画像２３と素材用パレット２４に格納し、適応色作成部２２の動作は終了する（ステップ５２ｐ）。これにより、図９のマーク及びメニュー２について、素材画像２３及び素材用パレット２４が作成される。ただし、マークについては、以後固定色画像のみを用いるので、適応色画像及び適応色パレットを図９では省略している。
【００５９】
次に、表示画像作成部２５の動作について説明する。表示画像作成部２５の動作の目的は、画像データベース６の素材画像２３及び素材用パレット２４が入力され、パレット方式を用いて実際に表示される画像、即ち、出力画像２７及び出力用パレット２８を作成することである。即ち、上記の例では、メニュー１及びマーク４２ａより作成された素材画像２３及び素材用パレット２４を入力として、それらを組み合わせ、図８の画面４１に表示される画像（即ち、出力画像２７及び出力用パレット２８）を作成する。
【００６０】
図１２は、表示画像作成部２５の動作のフローチャートを示す。図１２において、表示画像作成部２５は制御装置１よりの指示により開始される（ステップ５３ａ）。その際、表示すべき画像が、素材画像２３及び素材用パレット２４として与えられるのに加えて、その画像をＬＣＤ３２のどの位置に表示するかを表すＸ座標及びＹ座標が引数として与えられる。
【００６１】
表示すべき画像が適応色画像である場合には、同じ画像が固定色画像としても与えられる。
【００６２】
即ち、図８（ａ）の画面４１は、メニュー１の適応色画像と、電波強度マーク４２ａの固定色画像の表示であるが、それらを表示するためには、以下が与えられる。
【００６３】
・メニュー１の適応色画像
・メニュー１の適応色パレット
・メニュー１の固定色画像
・固定色パレット
・メニュー１を表示する中段領域４３の座標
・電波強度マーク４２ａの固定色画像
・電波強度マーク４２ａを表示する上段領域４２の座標
表示すべき画像は、上記の様に複数でもよい。ただし、その場合には、異なる適応色パレットを引数で与えることはできない。また、複数の画像の全部、または一部を、ＬＣＤ３２の同じ位置に重なって表示させる指示も可能である。重なった部分では、いずれを表示するのかを表すために表裏指数を用いる。複数の画像をＬＣＤ３２の同じ場所に表示する場合、表裏指数が大きい画像を表示せず小さい画像が表示される。
【００６４】
まず、表示画像作成部２５は用いるパレットを決定する。引数の中に適応色パレットがあればそれが用いられ、なければ固定色パレットが用いられる。表示画像作成部２５は、前回表示画像作成部２５に与えられた画像、即ち、現在表示中の画像を記憶している。それと新たに与えられた引数を比較し、パレットは同じものでよいかを判定する（ステップ５３ｂ）。
【００６５】
もし、同じパレットを用いるのなら画像の切り換えに起因する色の乱れの恐れはないので、出力画像２７のみを用意すればよい。出力画像２７の作成は画像重ね合わせ部２６が行うので、それを起動する（ステップ５３ｇ）。その際、表示すべき画像と、それを表示すべきＸ座標及びＹ座標、更に、表裏指数を引数として与える。
【００６６】
図１３に、画像重ね合わせ部２６のフローチャートを示す。画像重ね合わせ部２６が起動されると（ステップ５４ａ）、表示すべき画像をそれぞれの表裏指数に基づいてソートする（ステップ５４ｂ）。全ての画像の処理が終了しているか調べ（ステップ５４ｃ）、終了していないなら表の画像に隠れる画像からパレット方式画像形式３６の記憶領域にコピーしていく（ステップ５４ｄ）。
【００６７】
ここで、そのＸ座標及びＹ座標は、画像のＸ座標及びＹ座標に、その画像を表示する位置として与えられたＬＣＤ３２画面のＸ座標及びＹ座標を、それぞれ加えた位置である。後からコピーする画像は、前にコピーした画像の位置に上書きされるので、実際に表示される。そして、ステップ５４ｃで全ての画像の処理が終了したなら、新たに作成されたパレット方式画像形式３６の画像を出力画像２７に格納し、処理は終了する（ステップ５４ｅ）。
【００６８】
次に、画像重ね合わせ部２６の処理が完了すると、表示画像作成部２５は出力画像２７を表示すべきものと指定して、制御装置１経由で画像出力装置７ｃへ画像の出力を指示する（ステップ５３ｈ）。この際、パレットは前回与えたものと同一で、既に出力用パレット２８に記憶されているので、与える必要はない。画像出力装置７ｃへ画像の出力を指示した後、表示画像作成部２５の処理は完了する（ステップ５３ｉ）。
【００６９】
上記の例で、図８（ａ）の表示の前に行われていた表示は、その電波強度マーク４２ａに代えて電波強度マーク４２ｂが表示されていたものとする。すると、その時用いていたパレットはメニュー１適応色パレットであり、切り換えの必要がない。
【００７０】
そこで、表示画像作成部２５は、メニュー１の適応色画像を中段領域４３に、マーク４２ａの固定色画像を上段領域４２にそれぞれ置いた画像を出力画像２７に格納し、制御装置１経由で画像出力装置７ｃへ画像の出力を指示する。以上の処理により、図８（ａ）のメニュー１の画面４１が表示される。
【００７１】
次に、前回の起動の際に用いられたパレットと、新たに用いるパレットが異なる場合について説明する。例えば、図８（ａ）の画面４１の表示がされている際に、メニュー１に換えてメニュー２の表示（図８（ｂ）の画面４１の表示）を行う場合について説明する。ここで、メニュー１の適応色とメニュー２の適応色は同じでないとする。
【００７２】
図８（ｂ）の画面４１を表示するためには、以下が与えられる。
【００７３】
・メニュー２の適応色画像
・メニュー２の適応色パレット
・メニュー２の固定色画像
・固定色パレット
・メニュー２を表示する中段領域４３の座標
・電波強度マーク４２ｂの固定色画像
・電波強度マーク４２ｂを表示する上段領域４２の座標
この場合、図１２に示すようにメニュー１の起動の際に引数として与えられた引数と、新たに与えられた引数とを比較判定し（ステップ５３ｂ）、パレットが異なるものを用いる際には、まず、現在表示している画像を固定色で表示する。
【００７４】
そのために、メニュー１の適応色画像については、固定色画像が与えられているので、それを用いて画像重ね合わせ部２６を起動する（ステップ５３ｃ）。画像重ね合わせ部２６の処理完了の後、その結果を用いて制御装置１経由で画像出力装置７ｃへ当該画像を出力する（ステップ５３ｄ）。
【００７５】
上記の例では、メニュー１の適応色画像に代えて、メニュー１の固定色画像を用いて表示する。直感的には、メニュー１が限られた色で表示される。以上の処理により、過渡表示が得られた。図９では、この場合のメニュー１の固定色画像の流れを、過渡表示に向けた実線矢印で示した。
【００７６】
引き続き、パレットとして新しいメニュー２画像に対応するものを切り換え指定して（ステップ５３ｅ）、制御装置１経由で画像出力装置７ｃへ当該画像を出力する（ステップ５３ｆ）。この場合、画像は出力画像２７に記憶されている固定色画像のみを引き続き表示するので、パレットが切り換えられてもＬＣＤ３２の表示は変わらない。
【００７７】
次に、新たに表示すべき全ての画像を画像重ね合わせ部２６に与え、出力画像２７を作成（ステップ５３ｇ）し、その結果を用いて制御装置１経由で画像出力装置７ｃへ当該画像を出力する（ステップ５３ｈ）。これによって表示画像作成部２５の動作は完了する（ステップ５３ｉ）。以上の処理により、図８（ｂ）のメニュー２の画面４１の表示が得られた。
【００７８】
上記の例では、メニュー１の適応色パレットに代えて、メニュー２の適応色パレットを用いて表示する。
【００７９】
以上、説明した様に、メニュー１からメニュー２への表示の変化に際して、一旦、過渡的な表示はあるものの、色に乱れはなく、かつ、不自然さを感じさせない表示が得られる。
【００８０】
また、過渡的な表示を含むこれらの表示形態のいずれの場合においても、即ち、いずれの画像と同時に表示されるかによらず、マークの表示色は変わらない。即ち、使用するパレットの変更を感じさせない自然な表示となる。なぜなら、マークは固定色画像であり、いずれのパレットにおいても固定色は同じ色番号で格納されているからである。
【００８１】
以上説明した表示画像作成部２５の動作では、表示している画像を一旦固定色で表示した後に、新しい画像を適応色で表示した。これは、不自然さがなく、かつ、表示の変更の手がかりとして適切なものである。
【００８２】
この他、新しい画像を一旦固定色で表示した後に、新しい画像を適応色で表示するようにしてもよい。そのためには、メニュー２の引数の中の画像で、固定色画像はそのまま、適応色画像はそれに代えて、同じ画像の固定色画像を与えて、画像重ね合わせ部２６を起動すればよい。これも、不自然さがなく、かつ、表示の変更の手がかりとして適切なものである。
【００８３】
上記の例では、メニュー２の固定色画像と電波強度マーク４２ｂを用いた画像を表示する。図９では、この場合のメニュー２の固定色画像の流れを、点線矢印で示した。
【００８４】
なお、メニューの固定色画像の表示に代えて、特定の固定色画像を経由してもよい。これは、マークの固定色画像を作成した手順によって作成可能である。また、特定の固定色画像として、画像の全画素が同じの色である画像を用いてもよい。
【００８５】
この方法によれば、メニューの固定色画像が不要になる。そのため、画像データベース６の容量の削減、固定色作成部２１の固定色画像を作成する部分（図１０のステップ５１ｋ、ステップ５１ｎの一部）の削減、メニューについては、適応色作成部２２の固定色画像を作成する部分（図１１のステップ５２ｋ、ステップ５２ｎの一部）の動作の削減が可能となり、移動通信端末装置の軽量化に利する。
【００８６】
次に、画像出力装置７ｃの動作を説明する。画像出力装置７ｃは、画像出力制御部３１が制御装置１より起動されることにより、動作を開始する。その際、パレット方式画像形式３６の出力画像２７、及びパレット形式３７の出力用パレット２８が引数として与えられる。画像出力制御部３１は、ＬＣＤ３２の全てのＸ座標及びＹ座標の組み合わせについて、
（１）出力画像２７より色番号を得て、
（２）その色番号に対応する色を表すＲ、Ｇ、Ｂの３原色の強さを出力用パレット２８より得て、
（３）これらのＸ座標、Ｙ座標、Ｒ、Ｇ、Ｂの３原色の強さをＬＣＤ３２に与える。
【００８７】
これにより、ＬＣＤ３２はそのＸ座標とＹ座標で表される画素にそのＲ、Ｇ、Ｂの３原色の強さの表示を行い、全てのＸ座標及びＹ座標の組み合わせについてそれを行うことにより、ＬＣＤ３２への画像出力が行われる。新たに出力画像２７、または出力用パレット２８が、引数として制御装置１から与えられるまで、画像出力装置７ｃは同じ画像の出力を続ける。出力画像２７及び出力用パレット２８が、引数として同時に制御装置１から与えられた際にも、いずれかが先に、他方が後に与えられたものとして動作する。
【００８８】
以上、例を用いて説明した様に、複数の画像が同時に表示（メニュー及びマーク）の際にも、複数の画像が次々に表示（メニュー１及びマークからメニュー２及びマークへ）の際にも、色の乱れはない。
【００８９】
以上の説明は、メニュー及びマークの表示の形態を例に取った。この他に、利用者が画像入力装置７ａを用いて写真を撮影し、画像出力装置７ｃへ表示するなどの形態がある。この場合、写真の入力画像１３に対して、メニュー２を例にとって説明した処理が行われる。また、画像を次々と表示する際には、メニュー１の表示に続いてメニュー２の表示が行われた際と同じ処理が行われる。
【００９０】
（第２の実施の形態）
以下に、本発明による移動通信端末装置の第２の実施の形態を、第１の実施の形態との差を中心に、図面を参照して説明する。図１４は、第２の実施形態に係わる画像管理装置７ｂを示すブロック図である。図３に示す第１の実施形態に係わる画像管理装置７ｂと比較して、固定色作成部２１がない。また、図９に示す、メニュー及びマークの入力画像１３を保持しない。
【００９１】
即ち、第２の実施形態では、ＬＣＤ３２に表示されるメニュー、マークに限っては、その素材画像２３及び素材用パレット２４は、移動通信端末装置でその作成を行わない。そのため、それらは事前に組み込まれており、その後の変更はできない。
【００９２】
第２の実施形態では、パソコン等によってこれらを作成し、ＲＯＭ作成装置でＲＯＭにその情報を移し、それを組み込むことにより、移動通信端末装置へその情報を組み込む。その場合のパソコンの構成は、図１の移動通信端末装置より通信部２、受信部３、送信部４を除いたものである。
【００９３】
第２の実施形態においては、メニュー及びマークの出荷後の変更はできないが、移動通信端末装置の画像処理部７の機能の削減が可能で、その軽量化に利する。また、これらの画像は、パソコンで対話型の修正を経た、質のよい表示が可能となると同時に、固定色も、対話型の修正を経た、質のよい色を選ぶことができる。
【００９４】
更に、固定色パレットの完成を待って、マークの素材画像２３はそのその入力画像１３を経ることなく、対話型で作成し、色使いのよいマークを作成することもできる。本発明は以上の構成に限定されるものではなく、種々の変形が可能である。
【００９５】
【発明の効果】
以上述べたように、本発明によれば、限られた色数の固定色パレットで色が表された画像を用いることにより、複数の画像を同時に、ないし次々と、不自然さなしで表示することが可能な移動通信端末装置を提供することができる。
【図面の簡単な説明】
【図１】本発明の実施形態に係わる移動通信端末装置を示すブロック図。
【図２】本発明の実施形態に係わる画像入力装置を示すブロック図。
【図３】本発明の第１の実施形態に係わる画像管理装置を示すブロック図。
【図４】本発明の実施形態に係わる画像出力装置を示すブロック図。
【図５】画面の座標を示す図。
【図６】画像データベースに格納される画像の形式。
【図７】画像の座標を示す図。
【図８】本発明の実施形態に係わる移動通信端末装置のＬＣＤ画面表示例。
【図９】本発明の第１の実施形態に係わる移動通信端末装置の画像データベースに格納される画像例。
【図１０】本発明の実施形態に係わる画像管理装置、固定色作成部のフローチャート。
【図１１】本発明の実施形態に係わる画像管理装置、適応色作成部のフローチャート。
【図１２】本発明の実施形態に係わる画像管理装置、表示画像作成部のフローチャート。
【図１３】本発明の実施形態に係わる画像管理装置、画像重ね合わせ部のフローチャート。
【図１４】本発明の第２の実施形態に係わる移動通信端末装置の画像管理装置を示すブロック図。
【符号の説明】
１　制御装置
２　通信部
３　受信部
４　送信部
５　入力装置
６　画像データベース
７　画像処理部
７ａ　画像入力装置
７ｂ　画像管理装置
７ｃ　画像出力装置
１１　画像入力制御部
１２　カメラ
１３　入力画像
２１　固定色作成部
２２　適応色作成部
２３　素材画像
２４　素材用パレット
２５　表示画像作成部
２６　画像重ね合わせ部
２７　出力画像
２８　出力用パレット
３１　画像出力制御部
３２　ＬＣＤ
【図１】
2004086086.tif 000003
【図２】
2004086086.tif 000004
【図３】
2004086086.tif 000005
【図４】
2004086086.tif 000006
【図５】
2004086086.tif 000007
【図６】
2004086086.tif 000008
【図７】
2004086086.tif 000009
【図８】
2004086086.tif 000010
【図９】
2004086086.tif 000011
【図１０】
2004086086.tif 000012
【図１１】
2004086086.tif 000013
【図１２】
2004086086.tif 000014
【図１３】
2004086086.tif 000015
【図１４】
2004086086.tif 000016